(57)【要約】【課題】  読み取り点が新たな情報記録層へ移動する際に、読み取りの中断時間を短く済ませることができ、その際に使用されるメモリに必要な記憶容量を小さくすることができる多層情報記録媒体とその再生方法の提供。【解決手段】  ２層以上の情報記録層が積層されている多層情報記録媒体に対し、一方向から各情報記録層の読み取りを行う再生方法であって、再生を行っている情報記録層のある位置において、次に再生を行う他の情報記録層にフォーカスジャンプを行う場合、該他の情報記録層の読み取り開始位置は、再生を行っている情報記録層の読み取り終了位置をｐとして、ｐを中心とした半径１ｍｍの範囲内とすることを特徴とする多層情報記録媒体の再生方法。【選択図】        図１
2007080382.tif 000002
【特許請求の範囲】
【請求項１】
２層以上の情報記録層が積層されている多層情報記録媒体に対し、一方向から各情報記録層の読み取りを行う再生方法であって、再生を行っている情報記録層のある位置において、次に再生を行う他の情報記録層にフォーカスジャンプを行う場合、該他の情報記録層の読み取り開始位置は、再生を行っている情報記録層の読み取り終了位置をｐとして、ｐを中心とした半径１ｍｍの範囲内とすることを特徴とする多層情報記録媒体の再生方法。
【請求項２】
再生を行っている情報記録層の読み取り終了前又は終了直後に、読み取り終了位置の位置情報を記憶し、その位置情報に基づいて、次に再生を行う他の情報記録層の読み取り開始位置のサーチを行うことを特徴とする請求項１記載の多層情報記録媒体の再生方法。
【請求項３】
多層情報記録媒体に記録されたアドレスを用いて読み取り終了位置及び読み取り開始位置を特定することを特徴とする請求項１又は２記載の多層情報記録媒体の再生方法。
【請求項４】
多層情報記録媒体に記録されたアドレスを用いて、ｐを中心とした半径１ｍｍの範囲を算出することを特徴とする請求項３記載の多層情報記録媒体の再生方法。
【請求項５】
次に再生を行う他の情報記録層が、再生を行っている情報記録層に隣接する情報記録層以外の情報記録層であることを特徴とする請求項１〜４の何れかに記載の多層情報記録媒体の再生方法。
【請求項６】
再生に用いるレーザの波長が４５０ｎｍ以下であることを特徴とする請求項１〜５の何れかに記載の多層情報記録媒体の再生方法。
【請求項７】
２層以上の情報記録層が積層されている多層情報記録媒体であって、再生を行っている情報記録層のある位置において、次に再生を行う他の情報記録層にフォーカスジャンプを行う場合に、再生を行っている情報記録層の読み取り終了位置をｐとして、該他の情報記録層における、ｐを中心とした半径１ｍｍの範囲内に読み取りを開始すべき情報が記録されていることを特徴とする多層情報記録媒体。
【請求項８】
媒体の形状が直方体であることを特徴とする請求項７記載の多層情報記録媒体。
【発明の詳細な説明】
【技術分野】
【０００１】
本発明は、複数の情報記録層が積層された多層情報記録媒体とその再生方法に関する。
【背景技術】
【０００２】
２層以上の情報記録層が積層された多層情報記録媒体においては、単一の記録層に情報が記録される情報記録媒体と異なり、ある情報記録層から次の情報記録層へ読み取り点を移動し、両記録層の記録情報を連続的に再生する動作が要求される。このような動作を実現するのに、読み取り点の移動前において、予め次に再生する情報記録層について必要十分な量の読み取り情報をメモリに蓄えておき、読み取り点の移動中の読み取りが中断している間、及び、次に再生する情報記録層の目標アドレスに読み取り点が位置付けされ読み取り準備が完了するまでの間に、当該メモリから読み出した情報を再生することによって、次に再生する情報記録層の読み取りに移る際に、再生情報が途切れないようにすることが考えられる。
この方法によれば、読み取りが中断している間、継続して再生情報を読み出せるだけのメモリの記憶容量を必要とする。従って、その中断に費やす時間が長いほどメモリの記憶容量を大きくしなければならず、構成の簡素化、コストの削減等を考慮すれば、更なる改善が望まれるところである。
【発明の開示】
【発明が解決しようとする課題】
【０００３】
本発明は、読み取り点が新たな情報記録層へ移動する際に、読み取りの中断時間を短くすることができ、その際に使用されるメモリに必要な記憶容量を小さくすることができる多層情報記録媒体とその再生方法の提供を目的とする。
【課題を解決するための手段】
【０００４】
上記課題は、次の１）〜８）の発明によって解決される。
１）  ２層以上の情報記録層が積層されている多層情報記録媒体に対し、一方向から各情報記録層の読み取りを行う再生方法であって、再生を行っている情報記録層のある位置において、次に再生を行う他の情報記録層にフォーカスジャンプを行う場合、該他の情報記録層の読み取り開始位置は、再生を行っている情報記録層の読み取り終了位置をｐとして、ｐを中心とした半径１ｍｍの範囲内とすることを特徴とする多層情報記録媒体の再生方法。
２）  再生を行っている情報記録層の読み取り終了前又は終了直後に、読み取り終了位置の位置情報を記憶し、その位置情報に基づいて、次に再生を行う他の情報記録層の読み取り開始位置のサーチを行うことを特徴とする１）記載の多層情報記録媒体の再生方法。
３）  多層情報記録媒体に記録されたアドレスを用いて読み取り終了位置及び読み取り開始位置を特定することを特徴とする１）又は２）記載の多層情報記録媒体の再生方法。
４）  多層情報記録媒体に記録されたアドレスを用いて、ｐを中心とした半径１ｍｍの範囲を算出することを特徴とする３）記載の多層情報記録媒体の再生方法。
５）  次に再生を行う他の情報記録層が、再生を行っている情報記録層に隣接する情報記録層以外の情報記録層であることを特徴とする１）〜４）の何れかに記載の多層情報記録媒体の再生方法。
６）  再生に用いるレーザの波長が４５０ｎｍ以下であることを特徴とする１）〜５）の何れかに記載の多層情報記録媒体の再生方法。
７）  ２層以上の情報記録層が積層されている多層情報記録媒体であって、再生を行っている情報記録層のある位置において、次に再生を行う他の情報記録層にフォーカスジャンプを行う場合に、再生を行っている情報記録層の読み取り終了位置をｐとして、該他の情報記録層における、ｐを中心とした半径１ｍｍの範囲内に読み取りを開始すべき情報が記録されていることを特徴とする多層情報記録媒体。
８）  媒体の形状が直方体であることを特徴とする７）記載の多層情報記録媒体。
【０００５】
以下、上記本発明について詳しく説明する。
少なくとも２つの情報記録層を有し、一方の主面側から読み取り光ビームを照射して各々の情報記録層に記録された情報を読み取り再生する多層情報記録媒体においては、各情報記録層は、例えば、直線状に右から左に１トラック記録した後、１トラックピッチ分、上下にトラックジャンプし、今度は先程とは逆に、左から右に信号を記録した記録形態となっている。最初に読み取り光ビームが照射される情報記録層（以下、第１情報記録層という）中の１トラックの読み取り方向は特に限定はない。
本発明の再生方法では、このような多層情報記録媒体に対し、一方向から各情報記録層の読み取りを行うに際し、再生を行っている情報記録層のある位置において、次に再生を行う他の情報記録層へフォーカスジャンプを行う場合に、該他の情報記録層の読み取り開始位置を、再生を行っている情報記録層の読み取り終了位置をｐとして、ｐを中心とした半径１ｍｍの範囲内とすることを特徴とする。
また、上記フォーカスジャンプを行う場合に、再生を行っている情報記録層の読み取り終了前又は終了直後に、該情報記録層の読み取り終了位置の位置情報を記憶し、その位置情報に基づいて、次に再生を行う他の情報記録層の読み取り開始位置をサーチすることが好ましい。
【０００６】
一方、本発明の再生方法で情報の読み取りを行うことができる多層情報記録媒体には、再生を行っている情報記録層のある位置において、次に再生を行う他の情報記録層にフォーカスジャンプを行う場合に、再生を行っている情報記録層の読み取り終了位置をｐとして、該他の情報記録層における、ｐを中心とした半径１ｍｍの範囲内に、読み取りを開始すべき情報が記録されている必要がある。また、各情報記録層の端部同士は互いに読み取りが継続するように位置合わせされている必要がある。
なお、本発明の再生方法は、上記のような直線状の記録形態とは別のタイプの多層情報記録媒体にも適用可能である。即ち、同心円状や、同心円状と渦巻状とが混合したような形態で信号が記録されている媒体であっても良い。但し、奇数番目の情報記録層の読み取り方向が内周から外周に定められ、偶数番目の情報記録層の読み取り方向が外周から内周に定められる形態のように、情報記録層間において読み取りが継続するように、各情報記録層の端部同士が位置合わせされている必要がある。
【０００７】
また本発明の再生方法は、奇数番目及び偶数番目の情報記録層の読み取り方向が、内周から外周へ向かうのか、外周から内周へ向かうのかによらず適用可能であるし、情報記録層の読み取り順も、下層から上層へ移行する方式に限定される訳ではなく、上層から下層へ移行するものでも良いし、必ずしも隣接する情報記録層へジャンプしなくとも、１つ又は幾つかの情報記録層を飛び越えて、任意に偶数番目の情報記録層から奇数番目の情報記録層へ、或いは奇数番目の情報記録層から偶数番目の情報記録層へとジャンプするものであっても適用可能である。
更に、本発明の再生方法により情報の読み取りを行うことができる多層情報記録媒体は、通常のディスク形状に限らず、直方体形状であってもよい。
【０００８】
次に、多層情報記録媒体に記録されたアドレスを用いて読み取り終了位置及び読み取り開始位置を特定する場合について説明する。ここでは、説明の都合上、読み取り光ビームが照射される側から順に、第１情報記録層、第２情報記録層、…、第ｉ情報記録層、第ｉ＋１情報記録層、…と呼ぶことにする。
第１情報記録層の最終アドレスがＮであれば、同じ第１情報記録層での目標アドレスはＮ＋１であり、第２情報記録層でのそれは、第１情報記録層の全情報アドレスを足した、５０００＋Ｎ＋１始端に対応する。この対応は第３情報記録層であれば、１００００＋Ｎ＋１となる。
なお、第ｉ情報記録層から第ｉ＋１情報記録層へ連続再生するように記録されている場合には、第ｉ情報記録層の最終アドレスと第ｉ＋１情報記録層の先頭アドレスが連続であれば少なくとも一方のアドレスを、不連続であれば両方のアドレスを、最初のフォーカスロック時にＲＡＭに記憶しておけば良い。
これらの各情報記録層においても当然ながら、再生を行っている情報記録層のある位置においてフォーカスジャンプを行う場合、次に再生を行う他の情報記録層の読み取り開始位置は、再生を行っている層の読み取り終了位置をｐとして、ｐを中心とした半径１ｍｍの範囲内とする。
【０００９】
前述したように、基本的には多層情報記録媒体において各情報記録層の端部同士は互いに読み取りが継続するよう位置合わせされている。そして、例えば第２情報記録層の終端が第１情報記録層の始端と全く同一で一致していれば、フォーカスジャンプだけで第２情報記録層の始端から直ちに読み取りを再開できる筈である。しかし実際には、各情報記録層毎の製造工程において偏心誤差やトラックピッチ誤差が発生したり、製造する際に情報記録層の貼り合わせ位置の誤差が生じたりする。これらの誤差等が原因となり、各情報記録層の端部同士がずれて記録されてしまう。
既に商品化されている２層構造のＤＶＤを実例として挙げると、第１情報記録層終端に対し０．５ｍｍもの偏倚量をもって、第２情報記録層始端が位置する可能性があることが判明している。このとき、トラックピッチが０．７４μｍであり、アドレスがトラックに沿って約４．８ｍｍ間隔で挿入されているとすると、ディスクの半径５８ｍｍの付近では、０．５ｍｍの偏倚によってアドレスが約５１０００ずれていることになる。
しかし、このアドレスのずれが５１０００程度であれば、サーチ中に使用されるメモリに必要な記憶容量は小さく問題とならない。
【００１０】
この例を参考にして、直方体状の多層情報記録媒体に応用すると、簡単かつ安価な構成で再生情報の連続性を維持するためには、トラックピッチが０．２〜０．４μｍとした場合、例えば具体的に０．３２μｍとした場合、アドレスがトラックに沿って約１ｍｍ間隔で挿入されているとすると、半径１ｍｍの円の中には、約６２５０本のトラックが入り、その中に最大で約１２５００ほどのアドレスがあることになる。したがって、このアドレスをサーチし、その中から読み取り開始位置を探せばよく、そのサーチ中に使用されるメモリに必要な記憶容量は非常に小さいため問題とならない。
よって、再生を行っている情報記録層のある位置においてフォーカスジャンプを行う場合、次に再生を行う他の情報記録層の読み取り開始位置は、再生を行っている層の読み取り終了位置をｐとしたとき、ｐを中心とした半径１ｍｍの範囲内とすれば十分である。
また、読み取り位置の計測は、読み取り終了前と終了直後の何れでもよく、ｐに対応した読み取りを開始する主旨に違いはない。
また、読み取りに使用する波長を４５０ｎｍ以下とすれば、情報記録媒体の記憶容量を格段に向上できるので更に好ましい。
【００１１】
後述する図１におけるシステム制御回路１２は、例えば第１情報記録層の読み取りが終了したか否かを判別し、終了していなければこの判別処理を繰り返し、第１情報記録層の情報再生が継続する。第１情報記録層の読み取りが終了したことを判別すると、システム制御回路１２は、次の選択で、第１情報記録層の情報再生を継続するか、他の情報記録層へフォーカスジャンプするかの命令を待ち、第１情報記録層の情報再生を継続する命令の場合は継続し、他の情報記録層へフォーカスジャンプする命令の場合は、フォーカスジャンプによる光軸方向の移動、及び他の情報記録層の面内の移動が同時動作で行われるようにする。
他の情報記録層の読み出し開始位置が、ｐを中心とした半径１ｍｍの範囲内設けられているため、既に読み取り点が他の情報記録層の先頭アドレスの記録位置（記録開始位置）近傍に位置付けされ、サーチ目標近くでフォーカスロックが完了するので、当該先頭アドレスのサーチは、極めて短い時間で済むことになる。
【００１２】
なお、これまでの説明では、記録位置を特定するものとして読み取り信号から得られるアドレスデータを用いた例を挙げたが、基本的には、アドレスデータに代わる他の情報で記録位置を特定するようにしても良い。また、目標アドレスとして他の情報記録層の先頭アドレスを採用したが、必ずしも先頭アドレスを採用する必要もない。情報の再生に支障を来さなければ、先頭アドレス近傍の途中のアドレスを目標アドレスに採用しても良いし、意図的に先頭アドレスから遙かに隔たったアドレスを目標アドレスに採用しても良い。
更に、情報の再生に支障を来さなければ、記録終端近傍の途中のアドレスを読み取り終了位置に採用しても良いし、意図的に最終アドレスから遙かに隔たったアドレスを読み取り終了位置に採用しても良い。
また、本発明の対象となる多層情報記録媒体は、光学式媒体、磁気式媒体、それらの混合媒体などの何れであっても、一主面側から照射した読み取り光ビームにより記録情報の読み取りが行われるものであれば基本的に適用可能である。
【００１３】
図１は、多層情報記録媒体の記録再生装置の基本構成を示すブロック図である。
図１において、上述の如き記録形態の第１及び第２の情報記録層（面）を有する多層情報記録媒体１は、媒体の配置を制御する装置２によって回転駆動されつつ、図示せぬキャリッジに搭載され、キャリッジモータによりディスク半径方向に移動自在に設けられたピックアップ３からの読み取り光ビームが、所定の主面側から照射される。
読み取り光ビームは、多層情報記録媒体１で反射してピックアップ３に戻り、ピックアップ３は、その戻り光を受光して光電変換し、光電変換された信号を読み取り信号としてＲＦアンプ４に供給する。
ＲＦアンプ４は、読み取り信号を高周波増幅して信号復調回路５に供給する。
【００１４】
信号復調回路５は、供給された読み取り信号から音声や画像等に関するディジタルの主情報信号に復調する機能（例えば８／１５変調符号の復調処理及び誤り訂正処理）の他に、読み取り信号に付加されているアドレス信号や同期信号等の制御情報信号、即ちコントロールデータを復元するデコード機能を有する。
信号復調回路５によって復調された主情報信号は、バッファメモリ６に供給され、一旦書き込まれた後に順次読み出され、デコーダ７に転送される。
デコーダ７は、バッファメモリ６から読み出された信号の復号（例えばＭＰＥＧ復号）を行い、オーディオ及びビデオデータとして音声及び画像再生系（図示せず）に転送する。
なお、主情報信号は、音声や画像に限らずコンピュータデータであっても良いし、これらの混合信号であっても良いことは勿論である。
【００１５】
ピックアップ３からの読み取り信号はまた、エラー生成回路８にも供給される。
エラー生成回路８は、読み取り信号の各成分に基づいて、トラッキングエラー信号、フォーカスエラー信号、及びキャリッジエラー信号を生成し、これらをピックアップ制御回路９に供給する。
ピックアップ制御回路９は、トラッキングエラー信号に応じて、ピックアップ３が形成する読み取り光ビームの多層情報記録媒体１への照射位置（読み取り点）が、多層情報記録媒体１の記録トラックに一致するように制御するための駆動信号を生成し、ピックアップ３に供給する。
ピックアップ３は、この駆動信号に応じて、読み取り点の媒体半径方向における偏倚をなす内蔵されたトラッキングアクチュエータを駆動する。
【００１６】
ピックアップ制御回路９はまた、フォーカスエラー信号に応じて、読み取り対象とする多層情報記録媒体１の記録面に読み取り点をほぼ一致させるように制御するための駆動信号を生成し、これをピックアップ３に供給する。
ピックアップ３は、この駆動信号に応じて、内蔵するフォーカスアクチュエータを駆動する。
ピックアップ制御回路９は更に、キャリッジエラー信号に応じて、トラッキングアクチュエータの偏倚量がゼロとなるように制御するための駆動信号を生成し、これをキャリッジモータに供給する。
キャリッジモータはこの駆動信号に応じ、キャリッジによりピックアップ３全体を媒体半径方向に駆動する。
ピックアップ３（又はキャリッジモータ）、エラー生成回路８及びピックアップ制御回路９のループは、通常再生時のトラッキングサーボループ、フォーカスサーボループ、キャリッジサーボループを形成する。
【００１７】
ＲＦアンプ４により増幅された読み取り信号は、エラー生成回路１０にも供給され、ここで、読み取り信号に含まれる同期信号に基づいて得られる多層情報記録媒体１の実際の回転速度と、所定の回転速度との誤差に応じたエラー信号が生成され、制御回路１１に供給される。
制御回路１１は、供給されたエラー信号に基づき、多層情報記録媒体１を所定回転速度にて回転するための駆動信号を媒体の配置を制御する装置２に供給する。
ピックアップ３、ＲＦアンプ４、エラー生成回路１０、制御回路１１及び媒体の配置を制御する装置２のループは、通常再生時のサーボループを形成する。
【００１８】
こうした各部の制御を全体的に司る手段として、システム制御回路１２が設けられている。システム制御回路１２は、表示器１３及び操作釦群１４を従え、装置の動作状態等を表示したり、ユーザによる操作釦群１４の押圧により指定された種々の動作モードに応じて信号復調回路５やバッファメモリ６、ピックアップ制御回路９、制御回路１１、デコーダ７に、対応する制御信号を供給する。
より詳しくは、システム制御回路１２は、信号復調回路５から読み取り信号に含まれているコントロールデータを受け、その内容によって更に詳細な制御パラメータを決定したり、信号復調のためのタイミング信号等を信号復調回路５に供給したりする。
また、システム制御回路１２は、バッファメモリ６の書込及び読出制御を行うと共に、ピックアップ制御回路９を含む各サーボループ及び制御回路１１を含むサーボループの開閉や、トラッキングアクチュエータ、フォーカスアクチュエータ、キャリッジモータ及び媒体の配置を制御する装置２に対する割り込み的ないしは強制的な駆動制御も行う。
更に、システム制御回路１２は、主情報信号の内容やデコーダ７の動作状態、ユーザの操作などに応じてデコーダ７の制御も行う。
【発明の効果】
【００１９】
本発明によれば、読み取り点が新たな情報記録層へ移動する際に読み取りの中断時間を短くすることができ、その際に使用されるメモリに必要な記憶容量を小さくすることができる。これにより、簡単かつ安価な構成で再生情報の連続性を維持することが出来るようになる。
【図面の簡単な説明】
【００２０】
【図１】光ディスクの記録再生装置の基本構成を示すブロック図。
【符号の説明】
【００２１】
１  多層情報記録媒体
２  媒体の配置を制御する装置
３  ピックアップ
４  ＲＦアンプ
５  信号復調回路
６  バッファメモリ
７  デコーダ
８  エラー生成回路
９  ピックアップ制御回路
１０  エラー生成回路
１１  制御回路
１２  システム制御回路
１３  表示器
１４  操作釦
【図１】
2007080382.tif 000003